(57)【要約】【課題】  立体画像表示装置を提供すること。【解決手段】  表示品質を向上させた立体画像表示装置は、第１方向に延長される短辺及び第１方向と異なる第２方向に延長される長辺を有する複数の単位画素を含む表示ユニットと、第１方向に配列された複数の単位画素とオーバーラップし、第２方向に延長されたレンチキュラーレンズと、レンチキュラーレンズに対応して第２方向に配列される第１プリズムを含む画像変換ユニットを含む。よって特定位置で遮光パターンのみが見えることによって現れる縞模様である干渉模様を観察者が肉眼で視認することを防ぐことができる。【選択図】図１
2010256852.tif 000002
【特許請求の範囲】
【請求項１】
第１方向に延長された短辺及び前記第１方向と異なる第２方向に延長された長辺を有する複数の単位画素を含む表示ユニットと、
前記第１方向に配列される複数の単位画素とオーバーラップし、前記第２方向に延長された複数のレンチキュラーレンズと、前記レンチキュラーレンズに対応して前記第２方向に配列される複数の第１プリズムを含む画像変換ユニットと、を含む立体画像表示装置。
【請求項２】
前記第１プリズムの各々は、
その高さが、前記レンチキュラーレンズの第１端部から前記第１端部の前記第１方向の他端である第２端部に行くにつれて低くなる、直角三角形状の断面を有することを特徴とする請求項１に記載の立体画像表示装置。
【請求項３】
前記第１プリズムは、
前記第１方向に隣接する他の第１プリズムとずれるように配列されることを特徴とする請求項２に記載の立体画像表示装置。
【請求項４】
前記画像変換ユニットは、
前記第１プリズムの各々と隣接して配置され、前記第１端部において前記第１プリズムの高さと異なる高さを有し、前記第１端部から前記第２端部に行くにつれて、その高さが段々低くなる複数の第２プリズムをさらに含むことを特徴とする請求項２に記載の立体画像表示装置。
【請求項５】
前記第２プリズムの各々は、
前記第２プリズムの各々の前記第２方向に配置される第１プリズムと接触し、前記第２方向の逆方向に配置される第１プリズムとは離隔されることを特徴とする請求項４に記載の立体画像表示装置。
【請求項６】
前記第１プリズムの各々は、
前記第１端部から前記第２方向に沿って、切断した断面が直角三角形状を有し、前記第２方向に沿って連続的に繰り返し配列されることを特徴とする請求項２に記載の立体画像表示装置。
【請求項７】
前記第１プリズムの各々は、
前記第１方向に沿って切断した断面が、前記レンチキュラーレンズの第１端部から、前記第１端部と前記第１端部と対向する第２端部との中心部に行くにつれてその高さが低くなる、直角三角形状を有することを特徴とする請求項１に記載の立体画像表示装置。
【請求項８】
前記画像変換ユニットは、
前記第１プリズムの各々の前記第２方向に配置され、前記第１端部において、前記第１プリズムの高さと異なる高さを有し、前記第１端部から前記中心部に行くにつれてその高さが段々低くなる第２プリズムと、
前記第２プリズムの各々の前記第１方向に配置され、前記第２端部における高さが、前記第２プリズムの前記第１端部における高さと同一であり、前記第２端部から前記中心部に行くにつれて、その高さが段々低くなる第３プリズムと、
前記第３プリズムの各々の前記第２方向に配置され、前記第２端部における高さが、前記第１プリズムの前記第１端部における高さと同一であり、前記第２端部から前記中心部に行くにつれて、その高さが段々低くなる第４プリズムと、をさらに含むことを特徴とする請求項７に記載の立体画像表示装置。
【請求項９】
前記第１、第２、第３、及び第４プリズムの各々の前記第２方向の長さは、前記単位画素の長辺の長さの２倍であることを特徴とする請求項８に記載の立体画像表示装置。
【請求項１０】
前記第１プリズムは、前記レンチキュラーレンズの下に配置されることを特徴とする請求項１に記載の立体画像表示装置。
【発明の詳細な説明】
【技術分野】
【０００１】
本発明は、立体画像表示装置に関し、より詳しくは、レンチキュラー（Ｌｅｎｔｉｃｕｌａｒ）方式の立体画像表示装置に関する。
【背景技術】
【０００２】
ゲーム、映画などのような分野において、３次元立体画像に対する需要が増加することによって、３次元立体画像を表示する立体画像表示装置がさらに発展しつつある。立体画像表示装置は、二つの異なる２次元平面画像を表示することによって、観察者の肉眼に立体画像として認識させることができるものがある。つまり、観察者は、肉眼を通じて一対の２次元平面画像を見ることになり、脳で平面画像を融合して立体画像として視認することになる。
【０００３】
立体画像表示装置は、観察者の特殊なメガネの着用の有無によって、メガネ式（ｓｔｅｒｅｏ―ｓｃｏｐｉｃ）及び非メガネ式（ａｕｔｏ  ｓｔｅｒｅｏ―ｓｃｏｐｉｃ）に区分できる。一般的に、平板表示装置においては、バリア（ｂａｒｒｉｅｒ）方式、レンチキュラー（ｌｅｎｔｉｃｕｌａｒ）方式などの非メガネ式の立体画像表示装置が主に使用されている。
【０００４】
バリア方式は、視差バリア（Ｐａｒａｌｌａｘ  Ｂａｒｒｉｅｒ）を利用して左側ピクセル及び右側ピクセルを通過する光を遮断及び透過させることによって、左側ピクセルは、観察者の左目で認識させ、右側ピクセルは、観察者の右目で認識させることにより、立体画像として表示することができる。バリア方式によると、光の一部が遮断されるため、輝度が減少する問題点がある。
【０００５】
レンチキュラー方式は、レンズを利用して左側ピクセル及び右側ピクセルを通過する光を屈折させることによって立体画像を表示することができる。レンチキュラー方式によると、レンズを通じて光の大部分が通過するため、バリア方式に比べて輝度の減少を最小化させることができる。レンチキュラー方式に利用されるレンズは、表示パネルとレンズ軸との位置関係によって、垂直レンズ（ｖｅｒｔｉｃａｌ  ｌｅｎｓ）及び傾斜レンズ（ｓｌａｎｔｅｄ  ｌｅｎｓ）が含まれる。
【０００６】
垂直レンズを利用する場合には、レンズ軸が表示パネルと垂直であることから量産し易いため、立体画像表示装置の製造が容易である。しかし、垂直レンズを利用する場合、観察者が表示パネルの特定の位置で、マトリックス型に配列された画素を区画する遮光パターンのみを見ることになり、画像を見ることができないという問題点がある。つまり、観察者は、特定の位置で表示パネルを通じて干渉模様（ｍｏｉｒｅ）を見ることになる。
【０００７】
このような問題点を解決するために、傾斜レンズを利用しているが、傾斜レンズは、レンズ軸が表示パネルに対して傾斜するように製造しなければならないため、レンズ製造に高い信頼性が要求される問題点がある。特に、傾斜レンズを利用して、多視点（ｍｕｌｔｉ−ｖｉｅｗｐｏｉｎｔ）立体画像を表示する場合には、互いに隣接する視点間にクロストーク（ｃｒｏｓｓ−ｔａｌｋ）が発生することが多く、表示品質を低下させる可能性が高い。
【発明の概要】
【発明が解決しようとする課題】
【０００８】
本発明の技術的課題は、このような上述の問題点に着眼したもので、本発明の目的は、干渉模様の発生を最少化させることによって、表示品質を向上させることのできる立体画像表示装置を提供することである。
【課題を解決するための手段】
【０００９】
上述の発明の目的を実現するための実施形態による立体画像表示装置は、表示ユニット及び画像変換ユニットを含む。表示ユニットは、第１方向に延長された短辺及び第１方向と異なる第２方向に延長された長辺を有する複数の単位画素を含む。画像変換ユニットは、第１方向に配列された複数の単位画素とオーバーラップし、第２方向に延長された複数のレンチキュラーレンズと、レンチキュラーレンズに対応して第２方向に配列された複数の第１プリズムを含む。
【００１０】
本発明の一実施形態において、第１プリズムの各々の高さは、レンチキュラーレンズの第１端部から、第１端部の第１方向の他端である第２端部に行くにつれて低くなる、直角三角形状の断面を有してもよい。第１プリズムの各々の第２方向の長さは、単位画素の長辺の長さのほぼ１／２である。
【００１１】
本発明の一実施形態において、画像変換ユニットは、第１プリズムそれぞれと隣接して配置され、第１端部から第１プリズムの高さと異なる高さを有し、第１端部において、第２端部に行くにつれて、その高さが段々低くなる、複数の第２プリズムをさらに含んでもよい。第１プリズム及び第２プリズムの各々の第２方向の長さは、単位画素の長辺の長さのほぼ１／３である。
【００１２】
本発明の一実施形態において、第１プリズムの各々は、第１方向に沿って、切断された断面がレンチキュラーレンズの第１端部から、第１端部と第１端部と対向する第２端部との中心部に行くにつれて段々低くなる直角三角形状を有してもよい。第１プリズムの各々は、第１方向の長さが、第１端部と第２端部との間の距離のほぼ１／２である。
【００１３】
本発明の一実施形態において、画像変換ユニットは、第２プリズム、第３プリズム、及び第４プリズムをさらに含んでもよい。第２プリズムは、第１プリズムの各々の第２方向に配置され、第１端部で第１プリズムの高さと異なる高さを有し、第１端部から中心部に行くにつれて段々低くなってもよい。第３プリズムは、第２プリズム各々の第１方向に配置され、第２端部での高さが第２プリズムの第１端部での高さと同一であり、第２端部から中心部に行くにつれてその高さが段々低くなってもよい。第４プリズムは、第３プリズムの各々の第２方向に配置され、第２端部での高さが第１プリズムの第１端部での高さと同一であり、第２端部から中心部に行くにつれてその高さが段々低くなってもよい。
【００１４】
本発明の一実施形態において、第１プリズムの各々は、第１端部から第２方向に行くにつれてその高さが段々低くなり、第１端部から第２方向に沿って切断した断面が直角三角形状を有し、第２方向に沿って連続的に繰り返し配置されてもよい。このとき、画像変換ユニットは、第２端部から、第２方向に行くにつれてその高さが段々高くなり、第２端部から第２方向に沿って切断した断面が直角三角形状で、第２方向に沿って連続的に繰り返し配置される第２プリズムをさらに含んでもよい。
【発明の効果】
【００１５】
このような立体画像表示装置によると、プリズムを含む画像変換ユニットを利用することによって、観察者は、何れの視点においても単位画素のカラー（ａ  ｃｏｌｏｒ  ｏｆ  ａ  ｐｉｘｅｌ）と単位画素を区画する無色の遮光パターン（ａ  ｃｏｌｏｒｌｅｓｓ  ｌｉｇｈｔ−ｂｌｏｃｋｉｎｇ  ｐａｔｔｅｒｎ）とを同時に見ることができる。これによって、観察者は、表示パネル全体にカラー画像を見ることができる。つまり、特定の位置で遮光パターンのみが見えることによって表示される縞模様である干渉模様を観察者が肉眼で視認することを防ぐことができる。
【図面の簡単な説明】
【００１６】
【図１】本発明の第１実施形態による立体画像表示装置の斜視図である。
【図２】図１に示す立体画像表示装置の表示ユニットと画像変換ユニットの配置関係を説明するための平面図である。
【図３】図１のＩ―Ｉ’ラインに沿って切断した画像変換ユニットの断面図である。
【図４】図２に示す画像変換ユニットの背面図である。
【図５】図１のＩＩ―ＩＩ’ラインに沿って切断した画像変換ユニットの断面図である。
【図６】図２の画像変換ユニットによるカラー混合を説明するための断面図である。
【図７】図２の画像変換ユニットによるカラー混合を説明するための断面図である。
【図８】プリズムの配列の一例を説明するための画像変換ユニットの断面図である。
【図９】本発明の第２実施形態による画像変換ユニットの断面図である。
【図１０】図９に示す画像変換ユニットによるカラー混合を説明するための図面である。
【図１１】本発明の第３実施形態による画像変換ユニットの断面図である。
【図１２】図１１に示すプリズムの斜視図である。
【図１３】本発明の第４実施形態による立体画像表示装置の斜視図である。
【図１４】図１３のＩＩＩ―ＩＩＩ’ラインに沿って切断した画像変換ユニットの断面図である。
【図１５】図１３に示すプリズムの配列を説明するための画像変換ユニットの背面図である。
【図１６】図１３のＩＶ―ＩＶ’ラインに沿って切断した画像変換ユニットの断面図である。
【図１７】プリズムの配列の一例を説明するための画像変換ユニットの背面図である。
【図１８】本発明の第５実施形態による画像変換ユニットの断面図である。
【図１９】図１８に示すプリズムの斜視図である。
【図２０】本発明の第６実施形態による画像変換ユニットの断面図である。
【図２１】図２０に示すプリズムの斜視図である。
【発明を実施するための最良の形態】
【００１７】
以下、図面を参照しつつ、本発明の表示装置の望ましい実施例をより詳しく説明する。本発明は多様な変更を加えることができ、様々な形態を有することができるため、特定の実施例を図面に例示し、本明細書に詳しく説明する。しかし、これは本発明を特定の開示形態に対して限定しようとするものではなく、本発明の思想及び技術範囲に含まれる全ての変更、均等物、ないしは代替物を含むことと理解されるべきである。
【００１８】
各図面を説明しながら類似する参照符号を、類似する構成要素に対して使用した。添付図面において、構造物のサイズは本発明の明確性に基づくために実際より拡大して示した。第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１９】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００２０】
（第１実施形態）
図１は、本発明の第１実施形態による立体画像表示装置の斜視図である。
【００２１】
図２は、図１に示す立体画像表示装置の表示ユニットと画像変換ユニットの配置関係を説明するための平面図である。
【００２２】
図１及び図２を参照すると、本実施形態による立体画像表示装置５００は、画像を表示する表示ユニット１００、表示ユニットに光を提供するバックライトユニット２００、及び表示ユニット１００が表示する２次元画像を３次元画像に変換させる画像変換ユニット３００を含む。
【００２３】
表示ユニット１００は、薄膜トランジスタ基板１１０、対向基板１２０、及び液晶層（図示せず）を含む。薄膜トランジスタ基板１１０は、信号ライン（図示せず）、薄膜トランジスタ（図示せず）、及び画素電極（図示せず）を含んでもよい。対向基板１２０は、カラーフィルタ（図示せず）及びブラックマトリックスパターン（図示せず）を含んでもよい。カラーフィルタは、対向基板１２０ではなく、薄膜トランジスタ基板１１０に形成されてもよい。
【００２４】
薄膜トランジスタ基板１１０及び対向基板１２０によって表示ユニット１００の複数の単位画素（Ｐｘ，図２参照）が定義されてもよい。単位画素Ｐｘは、信号ライン及び／またはブラックマトリックスパターンによって区画されてもよい。以下においては、信号ライン及び／またはブラックマトリックスパターンを遮光パターンと定義する。遮光パターンは、第１方向Ｄ１に延長された複数の第１ストライプ及び第２方向Ｄ２に延長され、第１ストライプと交差する第２ストライプを含む。第１方向Ｄ１及び第２方向Ｄ２は、互いに交差する。例えば、第２方向Ｄ２は、第１方向Ｄ１に対して垂直な方向であってもよい。
【００２５】
単位画素Ｐｘの各々は、第１方向Ｄ１に延長された短辺及び第２方向Ｄ２に延長された長辺を含む。単位画素Ｐｘの各々は、長方形の形状を有する。短辺の第１長さ（ｘ）は、第２ストライプのうち、何れかの１つの第２ストライプの中心から、隣接する第２ストライプの中心までの距離と定義する。長辺の第２長さ（ｙ）は、第１ストライプのうち、何れかの１つの第１ストライプの中心から、隣接する第１ストライプの中心までの距離と定義する
【００２６】
単位画素Ｐｘは、第１方向Ｄ１及び第２方向Ｄ２に繰り返して配列される。単位画素Ｐｘは、薄膜トランジスタ基板１１０または対向基板１２０に形成されたカラーフィルタによってカラーを示すことができる。カラーフィルタが、赤色、緑色、及び青色を示す単位フィルタを含む場合、単位画素Ｐｘは、赤色を示す単位画素、緑色を示す単位画素、及び青色を示す単位画素に区分されてもよい。赤色、緑色、及び青色を示す単位画素Ｐｘが順次に繰り返して第１方向Ｄ１に配列されてもよい。また、赤色、緑色、及び青色を示す単位画素Ｐｘが順次に繰り返して第２方向Ｄ２に配列されてもよい。
【００２７】
バックライトユニット２００は、表示ユニット１００の下に配置されて、表示ユニット１００に光を提供する。バックライトユニット２００は、光を発生する光源（図示せず）を含む。例えば、光源は、蛍光ランプ、発光ダイオードなどであってもよい。
【００２８】
画像変換ユニット３００は、表示ユニット１００上に配置される。画像変換ユニット３００は、表示ユニット１００を通過する光を制御して表示ユニット１００が表示する２次元画像を３次元画像に変換する。画像変換ユニット３００は、多数のレンチキュラーレンズ３１０及び複数の第１プリズム３２０を含む。
【００２９】
複数のレンチキュラーレンズ３１０は、第２方向Ｄ２に延長され、第１方向Ｄ１に並列に配列される。レンチキュラーレンズ３１０の各々は、第１方向Ｄ１に配列された少なくとも２つの単位画素Ｐｘとオーバーラップする。レンチキュラーレンズ３１０の各々は、第１方向Ｄ１の長さと定義された幅（ｗ）を有する。幅（ｗ）は、レンチキュラーレンズ３１０の各々とオーバーラップする単位画素Ｐｘの個数によって決まる。本実施形態においては、レンチキュラーレンズ３１０の各々は、９つの単位画素Ｐｘとオーバーラップする。よって、幅（ｗ）は、第１長さ（ｘ）の９倍の値を有してもよい。レンチキュラーレンズ３１０の各々は、表示ユニット１００より突出した曲面を有する。レンチキュラーレンズ３１０各々は、半球形状を有してもよい。以下においては、説明の便宜上、レンチキュラーレンズ３１０のうち、図１に示した「Ａ」から見るとき、第１番目レンチキュラーレンズを第１レンチキュラーレンズ３１１と定義し、第１レンチキュラーレンズ３１１の第１方向Ｄ１に順次に配置されたレンチキュラーレンズをそれぞれ第２レンチキュラーレンズ３１２及び第３レンチキュラーレンズ３１３と定義して説明する。
【００３０】
複数の第１プリズム３２０は、レンチキュラーレンズ３１０の各々に対応して第２方向Ｄ２に配列される。画像変換ユニット３００は、プレートの一面を加工して、レンチキュラーレンズ３１０を形成すると同時に、前記プレートの一面の別の面を加工することによって、第１プリズム３２０を形成することによって、レンチキュラーレンズ３１０と第１プリズム３２０を一体形に形成してもよい。これとは異なり、画像変換ユニット３００は、レンチキュラーレンズ３１０と、第１プリズム３２０を含むプリズムシートを別途製造した後、プリズムシートをレンチキュラーレンズ３１０と結合させることによって、製造してもよい。
【００３１】
第１プリズム３２０の各々は、第１端部から第１端部の第１方向Ｄ１の他端である第２端部に行くにつれてその高さが低くなる形状を有する。つまり、第１プリズム３２０の各々は、第１方向Ｄ１に沿って切断した断面が三角形状を有する。本実施形態において、第１プリズム３２０の各々の断面が直角三角形状であることを例として説明する。第１端部から第１プリズム３２０を切断した断面は、長方形（図５参照）を示し、第２端部で１プリズム３２０を切断した断面は、直線を示す。第１プリズム３２０の各々の第１方向Ｄ１の長さは、第１端部と第２端部との間の距離と実質的にほぼ同一である。つまり、第１プリズム３２０の各々の幅は、レンチキュラーレンズ３１０の各々の幅（ｗ）と実質的にほぼ同一である。第１プリズム３２０は、レンチキュラーレンズ３１０の各々に対応してレンチキュラーレンズ３１０の下に配置される。
【００３２】
以下において、図３〜図５を参照して、本実施形態による画像変換ユニットについて詳しく説明する。第１プリズム３２０のうち、第１レンチキュラーレンズ３１１と対応する第１プリズム３２０を第１サブプリズム３２１と定義し、第２レンチキュラーレンズ３１２と対応する第１プリズム３２０は、第２サブプリズム３２２と定義し、第３レンチキュラーレンズ３１３と対応する第１プリズム３２０は、第３サブプリズム３２３と定義する。つまり、第１プリズム３２０は、第１サブプリズム３２１、第２サブプリズム３２２、及び第３サブプリズム３２３を含む。
【００３３】
図３は、図１のＩ―Ｉ’ラインに沿って切断した画像変換ユニットの断面図である。図４は、図２に示す画像変換ユニットの背面図である。
【００３４】
図１、図３、及び図４を参照すると。第１サブプリズム３２１は、第１レンチキュラーレンズ３１１と対応して第１レンチキュラーレンズ３１１の下に配置される。第２サブプリズム３２２は、第２レンチキュラーレンズ３１２と対応して、第２レンチキュラーレンズ３１２の下に配置される。第３サブプリズム３２３は、第３レンチキュラーレンズ３１３と対応して第３レンチキュラーレンズ３１３の下に配置される。
【００３５】
第２サブプリズム３２２は、第１サブプリズム３２１とオーバーラップせずにずれて配列される。また、第３サブプリズム３２３は、第２サブプリズム３２２とオーバーラップせずにずれて配列される。第１サブプリズム３２１の配列は、第３サブプリズム３２３の配列と実質的に同一である。図面に示していないが、第３レンチキュラーレンズ３１３の第１方向Ｄ１に配置された第４レンチキュラーレンズと対応する第４サブプリズム３２４の配列は、第２サブプリズム３２２の配列と実質的に同一である。実際には第２サブプリズム３２２及び第４サブプリズム３２４は、第１サブプリズム３２１、第３サブプリズム３２３、第５サブプリズム３２５、及び第７サブプリズム３２７より相対的に第２方向Ｄ２に、後ろにずれて配置されるが、「Ｂ」方向から画像変換ユニット３００を見るとき、第２サブプリズム３２２及び第４サブプリズム３２４は、第１サブプリズム３２１と共に見える。第１サブプリズム３２１各々の第１方向Ｄ１の長さは、第１レンチキュラーレンズ３１１の第１端部と第２端部との間の距離と実質的にほぼ同一である。第１サブプリズム３２１と第３サブプリズム３２３との間の距離は、第２レンチキュラーレンズ３１２の幅（ｗ）と実質的にほぼ同一である。
【００３６】
図５は、図１のＩＩ―ＩＩ’ラインに沿って切断した画像変換ユニットの断面図である。
【００３７】
図１、図４、及び図５を参照すると、複数の第１プリズム３２０は、それぞれ第２方向Ｄ２に所定距離を有して離隔して配列される。第２方向Ｄ２に隣接する第１プリズム３２０間の距離は、第２長さ（ｙ）の１／２である。第１プリズム３２０の各々の第２方向Ｄ２の長さは、第２長さ（ｙ）のほぼ１／２である。
【００３８】
第２サブプリズム３２２は、第１サブプリズム３２１とずれて配置されるため、「Ａ」方向から画像変換ユニット３００を見るとき、実際には、第２サブプリズム３２２は、第１サブプリズム３２１より相対的に第１方向Ｄ１に、後ろにずれて配置されるが、第２サブプリズム３２２と第１サブプリズム３２１とを共に見ることができる。つまり、複数の第１サブプリズム３２１の間に複数の第２サブプリズム３２２を見ることができる。
【００３９】
また、第１プリズム３２０の高さが第１端部から第２端部に行くにつれて低くなる形状を有することによって、第１端部から第２方向Ｄ２に沿って第１プリズム３２０を切断すると、その断面が四角形状を有してもよい。
【００４０】
図６及び図７は、図２の画像変換ユニットによるカラー混合（ｃｏｌｏｒ  ｍｉｘｉｎｇ）を説明するための断面図である。
【００４１】
図４及び図６を参照すると、単位画素Ｐｘの第１領域Ａ１は、レンチキュラーレンズ３１０のみとオーバーラップし、第１領域Ａ１を除いたその他の領域である第２領域Ａ２は、レンチキュラーレンズ３１０及び第１プリズム３２０とオーバーラップする。よって、単位画素Ｐｘの各々は、第１プリズム３２０によって第２方向Ｄ２に２分割される。
【００４２】
図６及び図７を参照すると、第１領域Ａ１は、レンチキュラーレンズ３１０のみに対応するため、観察者は第１領域Ａ１が表示する画像を、第１領域Ａ１と実質的に同じ領域である第３領域Ｂ１から見ることができる。
【００４３】
第２領域Ａ２は、レンチキュラーレンズ３１０及び第１プリズム３２０とオーバーラップするため、表示ユニット１００の画像は第１プリズム３２０を通過して屈折される。よって、観察者は、第２領域Ａ２が表示する画像を、第２領域Ａ２から所定距離を移動した領域である第４領域Ｂ２から見ることができる。前記所定距離は、第１長さ（ｘ）の１／２の長さであってもよい。
【００４４】
つまり、実際には、表示ユニット１００の第１領域Ａ１及び第２領域Ａ２で表示する画像を、第１プリズム３２０によって第３領域Ｂ１及び第４領域Ｂ２で表示する画像と同様に表示することができる。よって、観察者が、遮光パターンが形成される領域から、表示ユニット１００を見ても、観察者の両眼は、第１プリズム３２０によって、所定距離を移動した領域から表示される画像を認識することになる。
【００４５】
上述の説明によると、観察者は、全体的に何れの視点においても単位画素Ｐｘのカラーを同時に見ることができる。よって、特定の位置から遮光パターンのみが見えることによって表示される縞模様の干渉模様を観察者が視認することを防ぐことができる。
【００４６】
図８は、プリズムの配列の一例を説明するための画像変換ユニットの断面図である。
【００４７】
図８を参照すると、図３に示す第１プリズム３２０の配列と異なり、第１サブプリズム３２１の配列方向と第２サブプリズム３２２の配列方向とが異なるように配列されてもよい。第１サブプリズム３２１は、第１レンチキュラーレンズ３１１の第１端部から第２端部に行くにつれてその高さが段々低くなる形状を有する。一方、第２サブプリズム３２２は、第２レンチキュラーレンズ３１２の第２端部から第１端部に行くにつれてその高さが段々低くなる形状を有する。
【００４８】
第３サブプリズム３２３は、第３レンチキュラーレンズ３１３の第１端部から第２端部に行くにつれてその高さが段々低くなる形状を有する。また、第４サブプリズム３２４は、第４レンチキュラーレンズの第２端部から第１端部に行くにつれてその高さが段々低くなる形状を有する。
【００４９】
第１プリズム３２０が、図８に示す配列を有する場合、第１プリズム３２０によって、単位画素Ｐｘの第２領域Ａ２の画像が所定距離移動して表示されることは、実質的に図６及び図７の説明と同一である。従って、繰り返される説明は省略する。
【００５０】
図面に示していないが、第１プリズム３２０は、レンチキュラーレンズ３１０の上に配置されてもよい。画像変換ユニット３００は、レンチキュラーレンズ３１０と、第１プリズム３２０を含むプリズムシートを別途製造した後、プリズムシートをレンチキュラーレンズ３１０の上部に結合させることによって製造してもよい。第１プリズム３２０は、レンチキュラーレンズ３１０の間に固定されて配置されてもよい。なお、第１プリズム３２０がレンチキュラーレンズ３１０の上に配置されることを除いては、図１〜図８において説明した第１プリズム３２０がレンチキュラーレンズ３１０の下に配置される場合と実質的に同一である。従って、繰り返される説明は省略する。
【００５１】
（第２実施形態）
図９は、本発明の第２実施形態による画像変換ユニットの断面図である。
【００５２】
本発明の第２実施形態による立体画像表示装置は、図９に示す画像変換ユニットを除いては図１に示す立体画像表示装置と実質的に同一である。従って、繰り返される説明は省略する。具体的に、図９は、図１の第２方向Ｄ２に沿って切断した画像変換ユニットの断面図である。
【００５３】
図３及び図９を参照すると、本実施形態による画像変換ユニット３００は、複数のレンチキュラーレンズ３１０、第１プリズム３２０及び第２プリズム３３０を含む。
【００５４】
レンチキュラーレンズ３１０の各々は、第２方向Ｄ２に沿って延長され、第１プリズム３２０は、レンチキュラーレンズ３１０の各々に対応して第２方向Ｄ２に配列される。第１プリズム３２０は、レンチキュラーレンズ３１０の第１端部に第１高さを有する。第１プリズム３２０は、第１端部から第１端部の第１方向Ｄ１の他端である第２端部に行くにつれてその高さが段々低くなる形状を有する。第２プリズム３３０は、第１端部に、第１高さと異なる第２高さを有する。第２高さは、例えば、第１高さより低くてもよい。第２プリズム３３０は、互いに隣接した第１プリズム３２０の間に配置される。第２プリズム３３０は、第１端部から第２端部に行くにつれてその高さが段々低くなる形状を有する。
【００５５】
第１プリズム３２０及び第２プリズム３３０の各々の第２方向Ｄ２への長さは、第２長さ（ｙ）のほぼ１／３である。第２プリズム３３０は、前記第１プリズム３２０の各々に対応して第２方向Ｄ２に配置される。第２プリズム３３０の各々は、第２方向Ｄ２に配置された第１プリズム３２０に接触する。第２プリズム３３０の各々は、第２プリズム３３０の第２方向Ｄ２と逆方向に配置された第１プリズム３２０とは所定距離ほど離隔される。前記所定距離は、第２長さ（ｙ）のほぼ１／３である。
【００５６】
単位画素Ｐｘの第３領域は、レンチキュラーレンズ３１０のみとオーバーラップし、第３領域と隣接する第４領域は、レンチキュラーレンズ３１０及び第２プリズム３３０とオーバーラップし、第４領域と隣接する第５領域は、レンチキュラーレンズ３１０及び第１プリズム３２０とオーバーラップする。よって、単位画素Ｐｘの各々は、第１プリズム３２０及び第２プリズム３３０によって第２方向Ｄ２に３分割される。
【００５７】
一方、第２実施形態においては、第１、第２、及び第３レンチキュラーレンズの全てが、図９に示す第１プリズム３２０及び第２プリズム３３０と同じ配列を有してもよい。これとは異なり、第１レンチキュラーレンズ３１１は、図９に示す第１プリズム３２０及び第２プリズム３３０の配列を有する一方、第１レンチキュラーレンズ３１１の第１方向Ｄ１に配置された第２レンチキュラーレンズ３１２と対応する第１プリズム３２０及び第２プリズム３３０は、第２方向Ｄ２の逆方向に順次に配列されてもよい。また、第２レンチキュラーレンズ３１２の第１方向Ｄ１に配置された第３レンチキュラーレンズ３１３と対応する第１プリズム３２０及び第２プリズム３３０は、図９に示す配列を有してもよい。
【００５８】
図１０は、図９に示す画像変換ユニットによるカラー混合を説明するための図面である。
【００５９】
図１０を参照すると、第３領域は、レンチキュラーレンズ３１０のみと対応するため、観察者は第３領域で表示される画像を、第３領域と実質的に同一の第６領域Ｃ１から見ることができる。
【００６０】
第４領域は、レンチキュラーレンズ３１０及び第２プリズム３３０と対応するため、表示ユニット１００の画像は第２プリズム３３０を通過して屈折される。よって、観察者は、第４領域で表示される画像を、第４領域から所定距離移動した第７領域Ｃ２から見ることができる。前記所定距離は、第１長さ（ｘ）のほぼ１／３である。
【００６１】
また、第５領域は、レンチキュラーレンズ３１０及び第１プリズム３２０と対応するため、表示ユニット１００の画像は第１プリズム３２０を通過して屈折される。よって、観察者は、第５領域で表示される画像を、第４領域から所定距離移動した第８領域Ｃ３から見ることができる。前記所定距離は、第１長さ（ｘ）のほぼ２／３である。
【００６２】
従って、観察者が、遮光パターンが形成される領域から表示ユニット１００を見ても、観察者の両眼は、第１プリズム３１０及び第２プリズム３２０によって、所定距離移動した領域から画像を認識することができる。本実施形態による第１プリズム３２０及び第２プリズム３３０は、図５に基づく実施形態と比べて、単位画素Ｐｘ各々の領域をより細分化して分割することができる。よって、図５に基づく実施形態と比べて相対的に干渉模様の発生をさらに減少させることができる。
【００６３】
（第３実施形態）
図１１は、本発明の第３実施形態による画像変換ユニットの断面図である。
【００６４】
本発明の第３実施形態による立体画像表示装置は、図１１に示す画像変換ユニットを除いては図１に示す立体画像表示装置と実質的に同一である。従って、繰り返される説明は省略する。また、図１１は、図１の第２方向Ｄ２に沿って切断した画像変換ユニットの断面図である。
【００６５】
図１１を参照すると、本実施形態による画像変換ユニット３００は、複数のレンチキュラーレンズ３１０及び第１プリズム３２０を含む。レンチキュラーレンズ３１０は、第１方向Ｄ１に配列され、第１方向Ｄ１と異なる第２方向Ｄ２に延長される。第１プリズム３２０は、レンチキュラーレンズ３１０の各々に対応して、第２方向Ｄ２に配列される。第１プリズム３２０は、第２方向Ｄ２に沿って連続的に繰り返して配列される。
【００６６】
図１２は、図１１に示すプリズムの斜視図である。
【００６７】
図１２を参照すると、第１プリズム３２０は、第１方向Ｄ１に沿って切断した断面が直角三角形状を有する。第１プリズム３２０は、レンチキュラーレンズ３１０の第１端部から、第１端部と対向する第２端部に向かって第１方向Ｄ１に行くにつれてその高さが段々低くなる形状を有する。同時に、第１プリズム３２０は、レンチキュラーレンズ３１０の第１端部から第２方向Ｄ２に沿って切断した断面が直角三角形状を有する。第１プリズム３２０は、第２方向Ｄ２に行くにつれてその高さが段々低くなる形状を有する。第１プリズム３２０各々の断面は、第１プリズム３２０を切断する位置が第２方向Ｄ２に行くにつれてその大きさが段々小さくなる直角三角形状を有し、最終的には直線形状に収斂（ｃｏｎｖｅｒｇｅ）される。第１プリズム３２０は、第２端部において第２方向Ｄ２に沿って切断した断面が直線形状を有する。第１プリズム３２０の第２方向Ｄ２への長さは、第２長さ（ｙ）と同一である。 
【００６８】
本実施形態による第１プリズム３２０は、図９に基づく実施形態に比べて、単位画素Ｐｘ各々の領域をより細分化できる。つまり、図９においては、単位画素Ｐｘ各々の領域を３分割する場合を示し、図１１に示す第１プリズム３２０は、単位画素Ｐｘ各々の領域を無限大に分割する場合を示したものである。よって、図９に基づく実施形態に比べて、相対的に干渉模様の発生をさらに減少させることができる。
【００６９】
（第４実施形態）
図１３は、本発明の第４実施形態による立体画像表示装置の斜視図である。図１４は、図１３のＩＩＩ―ＩＩＩ’ラインに沿って切断した画像変換ユニットの断面図である。図１５は、図１３に示すプリズムの配列を説明するための画像変換ユニットの背面図である。
【００７０】
図１３、図１４、及び図１５を参照すると、本実施形態による立体画像表示装置５０２は、表示ユニット１００、表示ユニットに光を提供するバックライトユニット２００、及び表示ユニット１００が表示する２次元画像を３次元画像に変換させる画像変換ユニット３０２を含む。画像変換ユニット３０２を除いては、図１において説明した立体画像表示装置と実質的に同一である。従って、繰り返される説明は省略する。
【００７１】
画像変換ユニット３０２は、複数のレンチキュラーレンズ３１０及び複数の第１プリズム３２０を含む。
【００７２】
複数のレンチキュラーレンズ３１０は、第２方向Ｄ２に延長され、第１方向Ｄ１に並列に配列される。レンチキュラーレンズ３１０の各々は、第１方向Ｄ１に配列された、少なくとも２つの単位画素Ｐｘとオーバーラップする。レンチキュラーレンズ３１０の各々は、第１方向Ｄ１の長さとして定義される幅（ｗ）を有する。幅（ｗ）は、レンチキュラーレンズ３１０の各々の第１端部と、第１端部から第１方向Ｄ１に対向して配置される第２端部との間の距離である。
【００７３】
複数の第１プリズム３２０は、レンチキュラーレンズ３１０の各々に対応して第２方向Ｄ２に配列される。第１プリズム３２０の各々は、第１端部から、第１端部と第２端部との中心部に行くにつれて高さが低くなる形状を有する。また、例えば、第１プリズム３２０の各々の第１方向Ｄ１の長さは、幅（ｗ）のほぼ１／２である。
【００７４】
第１プリズム３２０の各々は、第１方向Ｄ１に沿って切断した断面が直角三角形状を有する。第１端部から第１プリズム３２０を切断した断面は、長方形状（図１６参照）を有し、第２端部から第１プリズム３２０を切断した断面は直線形状を有する。第１プリズム３２０は、レンチキュラーレンズ３１０各々に対応してレンチキュラーレンズ３１０の下に配置される。図１６に示す「Ｂ」から、レンチキュラーレンズ３１０の各々を見ると、レンチキュラーレンズ３１０の下に配置された第１プリズム３２０を見ることができる。
【００７５】
第１プリズム３２０は、第１レンチキュラーレンズ３１１と対応して、第１レンチキュラーレンズ３１１の下に配置された第１サブプリズム３２１、第１レンチキュラーレンズ３１１の第１方向Ｄ１に配置された第２レンチキュラーレンズ３１２と対応する第２サブプリズム３２２、及び第２レンチキュラーレンズ３１２の第１方向Ｄ１に配置された第２レンチキュラーレンズ３１２と対応する第３サブプリズム３２３を含む。
【００７６】
第１サブプリズム３２１の各々は、第１レンチキュラーレンズ３１１の第１端部に沿って所定距離ほどそれぞれ離隔されて第１列パターンを形成し、第２端部に沿って、所定距離ほどそれぞれ離隔されて第２列パターンを形成する。第１列パターンを形成する第１サブプリズム３２１ａを第１列第１サブプリズム３２１ａと定義し、第２列パターンを形成する第１サブプリズム３２１ｂを第２列第１サブプリズム３２１ｂと定義する。第１列第１サブプリズム３２１ａは、第２列第１サブプリズム３２１ｂとずれて配列される。
【００７７】
第２サブプリズム３２２の各々は、第２レンチキュラーレンズ３１２の第１端部に沿って、所定距離ほどそれぞれ離隔されて第３列パターンを形成し、第２端部に沿って、所定距離ほどそれぞれ離隔されて第４列パターンを形成する。第２サブプリズム３２２のうち、第３列パターンを形成する第２サブプリズム３２２ａを第１列第２サブプリズム３２２ａと定義し、第４列パターンを形成する第２サブプリズム３２２ｂを第２列第２サブプリズム３２２ｂと定義する。第１列第２サブプリズム３２２ａは、第２列第２サブプリズム３２２ｂとずれて配列される。また、第１列第２サブプリズム３２２ａは、第２列第１サブプリズム３２１ａとずれて配列される。
【００７８】
また、第３サブプリズム３２３の各々は、第３レンチキュラーレンズ３１３の第１端部に沿って、所定距離ほどそれぞれ離隔されて第５列パターンを形成し、第２端部に沿って、所定距離ほどそれぞれ離隔されて第６列パターンを形成する。第３サブプリズム３２３は、第１サブプリズム３１３と実質的に同一であるため、繰り返される説明は省略する。
【００７９】
「Ａ」方向から、画像変換ユニット３００を見るとき、実際には、第２列第１サブプリズム３２１ｂが第１列第１サブプリズム３２１ａに比べて相対的に第１方向Ｄ１に、後ろにずれて配置されるが、第１列第１サブプリズム３２１ａと第２列第１サブプリズム３２１ｂとがずれて配列されるため、第２列第１サブプリズム３２１ｂは、第１列第１サブプリズム３２１ａと共に見ることができる。
【００８０】
図１６は、図１３のＩＶ―ＩＶ’ラインに沿って切断した画像変換ユニットの断面図である。
【００８１】
図１５及び図１６を参照すると、第１列第１サブプリズム３２１ａ及び第２列第１サブプリズム３２１ｂ各々の第２方向Ｄ２への長さは、第２長さ（ｙ）のほぼ３倍である。互いに隣接する第１列第１サブプリズム３２１ａは、第２長さ（ｙ）の３倍に離隔して、配置されてもよい。また、第１列第２サブプリズム３２２ａ及び第２列第２サブプリズム３２２ｂ各々の第２方向Ｄ２への長さは、第２長さ（ｙ）のほぼ３倍である。つまり、第１列第１サブプリズム３２１ａ及び第２列第１サブプリズム３２１ｂの各々は、第２方向Ｄ２に、３つの単位画素Ｐｘとオーバーラップしてもよい。
【００８２】
第１列第１サブプリズム３２１ａ及び第２列第１サブプリズム３２１ｂによって、第２方向Ｄ２に配列された３つの単位画素Ｐｘを単位とすると、この単位は、第１方向Ｄ１に２分割される。よって、観察者は、第１列第１サブプリズム３２１ａ及び第２列第１サブプリズム３２１ｂが形成された領域から表示される画像を、第１列第１サブプリズム３２１ａ及び第２列第１サブプリズム３２１ｂが形成された領域より所定距離ほど移動した領域から見ることができる。観察者が遮光パターンの形成される領域で表示ユニット１００を見ても、観察者の両眼は、第１プリズム３２０によって、所定距離移動した領域から表示する画像を認識することになる。つまり、全体的に観察者は、何れの視点においても、単位画素Ｐｘのカラーを同時に見ることができる。よって、特定位置から遮光パターンのみが見えることによって現れる、縞模様の干渉模様を観察者が視認することを防ぐことができる。
【００８３】
図１７は、プリズムの配列の一例を説明するための画像変換ユニットの背面図である。
【００８４】
図１７を参照すると、第１列第１サブプリズム３２１ａ及び第２列第１サブプリズム３２１ｂ各々の第２方向Ｄ２への長さは、第２長さ（ｙ）とほぼ同一である。互いに隣接する 第１列第１サブプリズム３２１ａの各々は第２長さ（ｙ）ほど離隔されて配置されてもよい。また、第１列第２サブプリズム３２２ａ及び第２列第２サブプリズム３２２ｂ各々の第２方向Ｄ２への長さは、第２長さ（ｙ）とほぼ同一である。つまり、第１列第１サブプリズム３２１ａ及び第２列第１サブプリズム３２１ｂの各々は、第２方向Ｄ２には、１つの単位画素Ｐｘとオーバーラップしてもよい。
【００８５】
図面に示していないが、第１プリズム３２０は、レンチキュラーレンズ３１０の上に配置されてもよい。このとき、第１プリズム３２０がレンチキュラーレンズ３１０の上に配置されることを除いては、図１３〜図２１に説明する第１プリズム３２０がレンチキュラーレンズ３１０の下に配置される場合と実質的に同一である。従って、繰り返される説明は省略する。
【００８６】
（第５実施形態）
図１８は、本発明の第５実施形態による画像変換ユニットの断面図である。図１９は、図１８に示すプリズムの斜視図である。
【００８７】
本発明の第５実施形態による立体画像表示装置は、図１３に示す画像変換ユニットを除いては、図１に示す立体画像表示装置と実質的に同一である。従って、繰り返される説明は省略する。図１８は、図１３の第２方向Ｄ２に沿って切断した画像変換ユニットの断面図である。図１３、図１８、及び図１９を参照すると、本実施形態による画像変換ユニット３０２は、レンチキュラーレンズ３１０、第１プリズム３２０、第２プリズム３３０、第３プリズム３４０、及び第４プリズム３５０を含む。
【００８８】
レンチキュラーレンズ３１０は、第２方向Ｄ２に延長され、第１プリズム３２０は、レンチキュラーレンズ３１０と対応して、第２方向Ｄ２に配列される。
【００８９】
第１プリズム３２０は、第１端部に第１高さを有し、第１端部から中心部に行くにつれてその高さが段々低くなる形状を有する。第２プリズム３３０は、第１プリズム３２０の第２方向Ｄ２に配置され、第１端部から中心部に行くにつれてその高さが段々低くなる形状を有する。第２プリズム３３０は、第１端部の第１高さと異なる第２高さを有する。第２高さは、例えば、第１高さより低くてもよい。第２プリズム３３０の各々は、互いに隣接する第１サブプリズム３２０の間に配置される。
【００９０】
第３プリズム３４０は、第２プリズム３３０の第１方向Ｄ１に配置される。第１方向Ｄ１と第２方向Ｄ２とは、互いに交差する。第３プリズム３４０は、第２端部に第２高さを有し、第２端部から中心部に行くにつれてその高さが段々低くなる形状を有する。第３プリズム３４０は、第２プリズム３３０と対向する。第４プリズム３５０は、第３プリズム３４０の第２方向Ｄ２に配置される。第４プリズム３５０は、第１プリズム３２０の対角線方向（ｄｉａｇｏｎａｌ  ｄｉｒｅｃｔｉｏｎ）に配置される。対角線方向は、第１方向Ｄ１と第２方向Ｄ２との間の方向であってもよい。第４プリズム３５０は、第２端部に第１高さを有する。第４プリズム３５０は、第２端部から中央部に行くにつれてその高さが段々低くなる形状を有する。図１３の「Ａ」方向から第１プリズム３２０を見るとき、第３プリズム３４０は、第２プリズム３３０によって遮られて観察者は第３プリズム３４０を見ることができない。
【００９１】
第１プリズム３２０の第２方向Ｄ２への長さが第２長さ（ｙ）の６倍であるとき、第１〜第４プリズム（３２０，３３０，３４０，３５０）各々の第２方向Ｄ２への長さは、第２長さ（ｙ）のほぼ２倍である。第１プリズム３２０を基準に、第２プリズム３３０は、第１プリズム３２０の第２方向Ｄ２に配置される。６つの単位画素Ｐｘを含む領域は、第１プリズム３２０、第２プリズム３３０、第３プリズム３４０、及び第４プリズム３５０によって第２方向Ｄ２に、３分割されてもよい。
【００９２】
（第６実施形態）
図２０は、本発明の第６実施形態による画像変換ユニットの断面図である。
【００９３】
本発明の第６実施形態による立体画像表示装置は、図２０に示す画像変換ユニットを除いては、図１３に示す立体画像表示装置と実質的に同一である。従って、繰り返される説明は省略する。図２０は、図１３のＩＶ−ＩＶ’に沿って切断した画像変換ユニットの断面図で、第１レンチキュラーレンズのみを示したが、第１レンチキュラーレンズを除いた複数のレンチキュラーレンズも第１レンチキュラーレンズと実質的に同一である。従って、繰り返される説明は省略する。
【００９４】
図２０を参照すると、本実施形態による画像変換ユニット３０２は、レンチキュラーレンズ３１０、第１プリズム３２０、及び第２プリズム３３０を含む。レンチキュラーレンズ３１０は、第１方向Ｄ１に配列され、第１方向Ｄ１と異なる第２方向Ｄ２に延長される。第１プリズム３２０及び第２プリズム３３０は、レンチキュラーレンズ３１０の各々と対応して第２方向Ｄ２に配列される。第１プリズム３２０及び第２プリズム３３０は、第２方向Ｄ２に沿って、連続的に繰り返して配置される。
【００９５】
図２１は、図２０に示すプリズムの斜視図である。
【００９６】
図２１を参照すると、第１プリズム３２０は、第１方向Ｄ１に沿って切断した断面が直角三角形である。第１プリズム３２０の高さは、レンチキュラーレンズ３１０の第１端部から、第１端部と、第１端部と対向する第２端部との間の中心部に向かって第１方向Ｄ１に行くにつれて段々低くなる形状を有する。第１プリズム３２０各々の断面は、第１プリズム３２０を切断する位置が第２方向Ｄ２に行くにつれて段々その大きさが小さくなる直角三角形の形状を有して、最終的には直線形状に収斂される。同時に、第１プリズム３２０は、第１レンチキュラーレンズ３１１の第１端部から第２方向に沿って切断した断面が直角三角形状である。第１プリズム３２０は、第２方向Ｄ２に行くにつれてその高さが段々低くなる形状を有する。また、第２プリズム３３０は、第２端部から第２方向Ｄ２に沿って切断した断面が直角三角形状である。第１プリズム３２０の第２方向Ｄ２への長さは、第２長さ（ｙ）のほぼ６倍である。
【００９７】
第２プリズム３３０は、第１方向Ｄ１に沿って切断した断面が直角三角形状である。第２プリズム３３０は、中心部から第２端部に向かって第１方向Ｄ１に行くにつれて段々その高さが高くなる形状を有する。第２プリズム３３０各々の断面は、第２プリズム３３０を切断する位置が第２方向Ｄ２の逆方向に行くにつれて、段々その大きさが小さくなる直角三角形状を有して最終的には、直線形状に収斂される。同時に、第２プリズム３３０は、レンチキュラーレンズ３１０の第２端部から第２方向Ｄ２に行くにつれてその高さが高くなる。第２プリズム３３０は、第２端部から第２方向Ｄ２に沿って切断された断面が直角三角形状であり、第２方向Ｄ２に沿って連続的に繰り返して配置される。第１プリズム３２０及び第２プリズム３３０各々の形状は、全てが同一であるが、中心部を基準にするとき、第１プリズム３２０と第２プリズム３３０とは、互いに点対称に配列される。第２プリズム３３０の第２方向Ｄ２への長さは、第２長さ（ｙ）のほぼ６倍である。
【００９８】
本実施形態による第１プリズム３２０及び第２プリズム３３０は、図１８及び図１９に基づく実施形態に比べて領域をより細分化して分割できる。つまり、図１８及び図１９においては、６つの単位画素Ｐｘを含む領域が３分割される場合で、図２０及び図２１においては、６つの単位画素Ｐｘを含む領域が無限大に分割される場合である。よって、図１８及び図１９に基づく実施形態に比べて相対的に干渉模様の発生をさらに減少させることができる。
【００９９】
上述の詳細な説明によると、プリズムを含む画像変換ユニットを利用することによって、観察者は、何れの視点からでも単位画素のカラーと単位画素を区画する無色の遮光パターンとを同時に見ることができる。これによって、観察者は、表示パネル全体にカラー画像を見ることができる。つまり、特定位置から遮光パターンのみが見えることによって現れる、縞模様の干渉模様を観察者が視認することを防ぐことができる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと理解され得る。
【産業上の利用可能性】
【０１０１】
本発明による立体画像表示装置は、液晶表示装置（Ｌｉｑｕｉｄ  ｃｒｙｓｔａｌ  ｄｉｓｐｌａｙ：ＬＣＤ）のみならず、携帯型ディスプレイ器機、ＰＤＰ（ｐｌａｓｍａ  ｄｉｓｐｌａｙ  ｐａｎｅｌ）表示装置、平板型表示装置、３次元（３Ｄ）立体ゲーム画像装置、放送用３Ｄテレビ、軍事用３Ｄディスプレイ、シミュレーション訓練用３Ｄディスプレイ、及び医療用３次元ディスプレイなどに多様に適用できる。
【符号の説明】
【０１０２】
１００             表示ユニット
３００，３０２                   画像変換ユニット
３１０                           レンチキュラーレンズ
３１１，３１２，３１３    
第１，第２，第３レンチキュラーレンズ
３２１，３２２，３２３，３２４，３２５，３２７              
第１，第２，第３，第４，第５，第７サブプリズム
３２０                           第１プリズム
３３０，３４０，３５０    第２，第３，第４プリズム
５５０，５０２                   立体画像表示装置
【図１】
2010256852.tif 000003
【図２】
2010256852.tif 000004
【図３】
2010256852.tif 000005
【図４】
2010256852.tif 000006
【図５】
2010256852.tif 000007
【図６】
2010256852.tif 000008
【図７】
2010256852.tif 000009
【図８】
2010256852.tif 000010
【図９】
2010256852.tif 000011
【図１０】
2010256852.tif 000012
【図１１】
2010256852.tif 000013
【図１２】
2010256852.tif 000014
【図１３】
2010256852.tif 000015
【図１４】
2010256852.tif 000016
【図１５】
2010256852.tif 000017
【図１６】
2010256852.tif 000018
【図１７】
2010256852.tif 000019
【図１８】
2010256852.tif 000020
【図１９】
2010256852.tif 000021
【図２０】
2010256852.tif 000022
【図２１】
2010256852.tif 000023